(57)【特許請求の範囲】
【請求項１】
通水の無い状態でバーナーを燃焼させて熱交換器内の水を次回の出湯に備えて所定の保温温度範囲内に保温する保温機能を備えた給湯器において、
前記保温機能を実施するための保温動作を制御する保温制御手段と、各種の操作を受け付けるための操作受付部と、前記保温動作を開始すべきか否かの判定の基礎になる所定の状態を検知するセンサーとを有し、
前記保温制御手段は、前記操作受付部からの設定状態と前記センサーの出力状態とが予め定めた組み合わせになったことを契機にシャワーの使用される時間帯を判定し、その判定結果に従って前記保温動作を開始することを特徴とする給湯器。
【請求項２】
前記保温制御手段は、前記操作受付部からの設定状態と前記センサーの出力状態とが前記組み合わせになってから所定の期間が経過したとき前記保温動作を開始することを特徴とする請求項１記載の給湯器。
【請求項３】
前記保温制御手段は、前記操作受付部からの設定状態と前記センサーの出力状態とが前記組み合わせになってから所定の時間が経過したとき前記保温動作を停止することを特徴とする請求項１記載の給湯器。
【請求項４】
通水の無い状態でバーナーを燃焼させて熱交換器内の水を次回の出湯に備えて所定の保温温度範囲内に保温する保温機能を備えた給湯器において、
前記保温機能を実施するための保温動作を制御する保温制御手段と、各種の操作を受け付けるための操作受付部と、前記保温動作を開始すべきか否かの判定の基礎になる所定の状態を検知するセンサーとを有し、
前記保温制御手段は、前記操作受付部からの設定状態と前記センサーの出力状態とが予め定めた組み合わせになったことを契機にシャワーの使用される時間帯を判定し、その判定結果に従って前記保温動作を停止することを特徴とする給湯器。
【請求項５】
前記保温制御手段は、前記操作受付部からの設定状態と前記センサーの出力状態とが前記組み合わせになってから所定の時間が経過したとき前記保温動作を停止することを特徴とする請求項４記載の給湯器。
【発明の詳細な説明】
【０００１】
【発明の属する技術分野】
本発明は、通水の無い状態でバーナーを燃焼させて熱交換器内の水を次回の出湯に備えて所定の保温温度範囲内に保温する保温機能を備えた給湯器に関する。
【０００２】
【従来の技術】
従来から使用されている給湯器には、開栓当初からできるだけ設定温度に近い温度の湯を出湯するため、通水の無い状態で熱交換器内の湯を所定温度範囲に保温する機能を備えたものがある。かかる給湯器では、通常、通水が停止したときから、５分間等の一定時間が経過するまでの間、保温状態を維持するようになっている。
【０００３】
【発明が解決しようとする課題】
しかしながら、このような従来の技術では、前回の出湯から５分間等の一定時間以上が経過してから出湯する場合には、既に保温状態にないので、開栓当初、設定温度から大きく外れた冷たい湯が出てしまう。たとえば、前回の出湯から長い時間が経過した後に、浴室でシャワーを使い始めたときなど、当初、冷たい水が出て不快感を与えてしまうという問題があった。
【０００４】
本発明は、このような従来の技術が有する問題点に着目してなされたもので、通水の無い状態でバーナーを燃焼させて熱交換器内の水を次回の出湯に備えて所定の保温温度範囲内に保温する保温機能をシャワーの使用に備えて適切なタイミングでオンオフすることのできる給湯器を提供することを目的としている。
【０００５】
【課題を解決するための手段】
かかる目的を達成するための本発明の要旨とするところは、次の各項の発明に存する。
［１］通水の無い状態でバーナー（１２）を燃焼させて熱交換器（１３）内の水を次回の出湯に備えて所定の保温温度範囲内に保温する保温機能を備えた給湯器において、
前記保温機能を実施するための保温動作を制御する保温制御手段（５１）と、各種の操作を受け付けるための操作受付部（６０）と、前記保温動作を開始すべきか否かの判定の基礎になる所定の状態を検知するセンサー（３７、７２、７３、７４）とを有し、
前記保温制御手段（５１）は、前記操作受付部（６０）からの設定状態と前記センサー（３７、７２、７３、７４）の出力状態とが予め定めた組み合わせになったことを契機にシャワーの使用される時間帯を判定し、その判定結果に従って前記保温動作を開始することを特徴とする給湯器。
【０００６】
［２］前記保温制御手段（５１）は、前記操作受付部（６０）からの設定状態と前記センサー（３７、７２、７３、７４）の出力状態とが前記組み合わせになってから所定の期間が経過したとき前記保温動作を開始することを特徴とする［１］記載の給湯器。
【０００７】
［３］前記保温制御手段（５１）は、前記操作受付部（６０）からの設定状態と前記センサー（３７、７２、７３、７４）の出力状態とが前記組み合わせになってから所定の時間が経過したとき前記保温動作を停止することを特徴とする［１］記載の給湯器。
【０００８】
［４］通水の無い状態でバーナー（１２）を燃焼させて熱交換器（１３）内の水を次回の出湯に備えて所定の保温温度範囲内に保温する保温機能を備えた給湯器において、
前記保温機能を実施するための保温動作を制御する保温制御手段（５１）と、各種の操作を受け付けるための操作受付部（６０）と、前記保温動作を開始すべきか否かの判定の基礎になる所定の状態を検知するセンサー（３７、７２、７３、７４）とを有し、
前記保温制御手段（５１）は、前記操作受付部（６０）からの設定状態と前記センサー（３７、７２、７３、７４）の出力状態とが予め定めた組み合わせになったことを契機にシャワーの使用される時間帯を判定し、その判定結果に従って前記保温動作を停止することを特徴とする給湯器。
【０００９】
［５］前記保温制御手段（５１）は、前記操作受付部（６０）からの設定状態と前記センサー（３７、７２、７３、７４）の出力状態とが前記組み合わせになってから所定の時間が経過したとき前記保温動作を停止することを特徴とする［４］記載の給湯器。
【００１０】
前記本発明は次のように作用する。
通水の無い状態でバーナー（１２）を燃焼させて熱交換器（１３）内の水を次回の出湯に備えて所定の保温温度範囲内に保温する保温機能を実施するための保温動作を制御する保温制御手段（５１）は、操作受付部（６０）からの設定状態とセンサー（３７、７２、７３、７４）の出力状態とが予め定めた組み合わせになったことを契機にシャワーの使用される時間帯を判定し、その判定結果に従って保温動作を開始または停止する。
【００１１】
たとえば、ふろ自動運転のスイッチがオンであって、浴室に配置した人感センサー（７２）が当該浴室内に人の居ることを検知したとき、保温機能をオンにする。一方、ふろ自動運転のスイッチがオフの場合には、浴室に人が入ったことを検知しても、保温機能をオンさせず、停止する。これにより、掃除のために浴室内に人が入ったような場合に、保温機能が稼働してしまうことを防ぐことができ、真に必要とされるときだけ保温機能がオンになり、省エネルギー化を図ることができる。
【００１２】
また、ふろ運転スイッチがオフであっても、浴槽に人が入ったことを水位センサー（３７）によって検知したとき、その後、洗い場でシャワーが使用される可能性のあることを考慮して保温機能をオンにする。
【００１３】
このように、操作受付部（６０）からの設定状態とセンサー（３７、７２、７３、７４）の検知状態とが予め定めた組み合わせになったことを契機にシャワーの使用される時間帯を判定し、その判定結果に従って保温機能をオンまたはオフにすることで、操作による設定とセンサー（３７、７２、７３、７４）のいずれか一方のみに基づく場合に比べて、よりきめ細かく保温機能のオンオフを制御することができる。
【００１４】
保温制御手段（５１）は、操作受付部（６０）からの設定状態とセンサー（３７、７２、７３、７４）の出力状態とが予め定めた組み合わせになってから所定の時間や期間が経過したとき保温動作を開始または停止する。たとえば、通常、洗い場でシャワーが使用されるのは人が浴槽を出てから数十分の間なので、浴槽から人が出たことを検知してから、所定時間後に保温機能をオフにする。また浴室に人が居る状態で、浴槽に給水を注いで湯温を２℃程度下げるためのうめるスイッチが押下されたときは、給水を注ぐ動作が終了した後（所定の期間の経過後に相当する）に、保温機能をオンにする。
【００１５】
このように、操作に基づく設定状態とセンサー（３７、７２、７３、７４）の出力状態が予め定めた組み合わせになってから、所定時間や所定の期間の経過後に保温機能をオン・オフすることで、制御の自由度が広がり、最適なタイミングで保温動作の開始および停止を制御することができる。
【００１６】
また保温制御手段（５１）は、操作受付部（６０）からの設定状態とセンサー（３７、７２、７３、７４）の出力状態とが予め定めた組み合わせになってから所定の時間が経過したとき、保温動作を停止するようにしてもよい。
【００１７】
【発明の実施の形態】
以下、図面に基づき本発明の一実施の形態を説明する。
各図は本発明の一実施の形態を示している。
本発明にかかる給湯器１０は、水栓あるいは風呂の浴槽内へ給湯する機能と、浴槽内の湯を追い焚きする機能とを備え、追い焚き経路と給湯経路の双方を１つの熱交換器で加熱する、いわゆる１缶２水路型を成している。図１に示すように、給湯器１０は、燃焼室１１を備えており、当該燃焼室１１の下部には、バーナー１２が、燃焼室１１の上部には、バーナー１２からの熱を給水等に伝える熱交換器１３がそれぞれ配置されている。
【００１８】
熱交換器１３には、給湯用の水を流すための給湯用パイプ２１と、追い焚き用に浴槽内の水を循環させる追い焚き用循環パイプ３１の双方が通っており、熱交換器１３はバーナー１２からの熱をこれら双方のパイプ２１、３１内の流体へ伝えて加熱する機能を備えている。
【００１９】
給湯用パイプ２１のうち熱交換器１３の入側と接続された給水側流路２１ａと、熱交換器１３の出側から延びる出湯側流路２１ｂとの間には、固定バイパス路２２および流量制御弁２３の介挿されたバイパス路２４の２つのバイパス路が接続されている。熱交換器１３で加熱された湯に、固定バイパス路２２、バイパス路２４を通じて給水を混合するとともに、バイパス比を流量制御弁２３によって制御し得るようになっている。また、給湯用パイプ２１の出湯側流路２１ｂ側には、出湯される総流量やバイパス比を制御するための流量制御弁２５が設けられている。
【００２０】
給湯用パイプ２１の入口部および出口部の近傍にはそれぞれ、通水の有無や通水量を検知するためのフローセンサ２６ａ、２６ｂが設けられている。また、給湯用パイプ２１の入口部近傍には、給水の温度を検知するための入水サーミスタ２７が、給湯用パイプ２１の出口部近傍には、出湯温度を検知するための出湯サーミスタ２８がそれぞれ取り付けられている。また熱交換器１３の出口部近傍の出湯側流路２１ｂには熱交換器１３を出た直後の湯温を検知するための熱交サーミスタ２９が設けてある。
【００２１】
追い焚き用循環パイプ３１は、浴槽４０内の水を熱交換器１３まで戻す風呂戻パイプ部３１ａと、熱交換器１３で加熱後の湯を浴槽４０へ送り出す風呂往パイプ部３１ｂとから構成されている。風呂戻パイプ部３１ａの途中には循環ポンプ３２と、風呂戻パイプ部３１ａ内の通水の有無を検知する風呂流水スイッチ３３が設けられている。また、風呂流水スイッチ３３の近傍には、浴槽４０側から流入する湯の温度を検知するための風呂温度サーミスタ３４が取り付けてある。さらに、風呂温度サーミスタ３４の近傍には、浴槽４０内の水位（水圧）を検知するための水位センサー３７が配置されている。
【００２２】
給湯用パイプ２１の出湯側流路２１ｂと、風呂戻パイプ部３１ａとは、注湯電磁弁３５を備えた注湯パイプ３６で接続されており、熱交換器１３で加熱された給水を注湯パイプ３６を介して浴槽４０へ注湯することができるようになっている。
【００２３】
給排気は、燃焼ファン１４によって燃焼室１１の下方側から給気を送風することによって強制的に行われ、排気は燃焼室１１の上部から排出されるようになっている。バーナー１２近傍には、点火装置１５が設けてある。またバーナー１２へ供給される燃焼ガスは、ガス電磁弁１６、元ガス電磁弁１７、ガス切替弁１８によってオンオフ制御される。さらにバーナー１２へ供給される燃焼ガスのガス量は、ガス比例弁１９によって調整される。
【００２４】
給湯器１０は、出湯や風呂への湯張りなど各種の動作を統括制御するための制御基盤５０を有している。制御基盤５０は、保温制御部５１と、通常燃焼制御部５２と、通信部５３とを有している。このうち保温制御部５１は、通水の無い状態でバーナー１２を点火して熱交換器１３内の湯を所定温度範囲内に保温する保温機能を果たすための動作（出湯用保温動作）を司る回路部分である。通常燃焼制御部５２は、通水に応じて出湯する場合や風呂への注湯や追い焚きを行う際にバーナー１２の燃焼を制御する回路部分である。通信部５３は、電話回線７１を通じて遠隔からの操作を受け付けるための回路部分であり、いわゆるテレコントロールを実現するものである。
【００２５】
制御基盤５０は、より具体的には、各種制御の中枢的機能を果たすＣＰＵ（中央処理装置）と、ＣＰＵの実行するプログラムや各種の固定的データを記憶するＲＯＭと、プログラムを実行する上で一時的に必要になるデータを記憶するためのＲＡＭ等を主要部とする回路により構成されている。
【００２６】
制御基盤５０には、湯温の設定や、自動運転のオンオフなど各種の操作を受け付けるための操作部６１や液晶ディスプレイから成る表示部６２を備えたリモコンユニット６０が接続されている。このほか、制御基盤５０には、浴室内に人が居るか否かを検知する人感センサー７２や、外気温を検知するための外気温センサー７３、さらに、夜間か昼間かを判別するための光センサー７４等が接続されている。このほか、制御基盤５０には、入水サーミスタ２７、水位センサー３７、ガス比例弁１９、流量制御弁２３等の各種の制御部品やセンサー類が配線７５を通じて接続されている。
【００２７】
図２は、リモコンユニット６０を示している。表示部６２上には、設定温度の表示６２ａや、バーナー１２が燃焼中であることを炎の絵柄によって示した燃焼表示６２ｂ等の各種表示が行われる。このほか表示部６２には、異常が発生したときその内容を示したエラーコード等が表示される。表示部６２の下方には、操作部６１として各種の操作スイッチが配置されている。このうち、上向き矢印の絵柄の付されたスイッチは、設定温度を上げるためのアップスイッチ６３ａであり、下向き矢印の絵柄の付されたスイッチは、設定温度を下げるためのダウンスイッチ６３ｂである。
【００２８】
「優先」の文字の記された優先スイッチ６４ａは、メインリモコンとふろリモコンなど２以上のリモコンユニットを取り付けた場合に、出湯される湯温が自ユニット側で設定した温度に従うように優先設定するためのスイッチである。優先スイッチ６４ａのすぐ上方に配置された優先ランプ６４ｂは、自ユニット側が優先されていることを表示するためのランプである。
【００２９】
「運転」の文字の記された運転スイッチ６５は、給湯器１０を、出湯、浴槽４０への湯張り、追い焚き等の動作が可能な稼働状態と、これらを行わない非稼働状態と切り替えるためのスイッチである。「自動」の文字の記された自動スイッチ６６は、風呂の自動運転を行う際に押下するスイッチである。自動スイッチ６６が押下されると、給湯器１０は、浴槽４０内に設定温度の湯が設定水位まで満たされるように、注湯や追い焚きを行うようになっている。
【００３０】
「呼出」の文字の記された呼出スイッチ６７は、浴室内等から台所に居る人に向けて、話をするためのスイッチである。すなわち、呼出スイッチ６７を押下すると、風呂リモコンに配置された図示しないマイクロフォンで拾った音を、台所等に設置されたメインリモコンに設けたこれまた図示しないスピーカーから流し、浴室内の人から「タオルを持ってきてほしい」等のメッセージを台所等に居る人に伝えることができるようになっている。
【００３１】
「あつめ」の文字の記されたあつめスイッチ６８ａは、浴槽４０内の湯温を追い焚きによって現在よりも２℃上昇させるためのスイッチである。一方、「うめる」の文字の記されたうめるスイッチ６８ｂは、浴槽４０内の湯温を２℃ほど低下させる際に用いるスイッチである。うめるスイッチ６８ｂが押下されると、バーナー１２を点火させずに注湯電磁弁３５が開かれ、加熱されない給水が浴槽４０内に注がれるようになっている。「快適」の文字の記された快適スイッチ６９は、保温機能をオンオフするための専用のスイッチである。
【００３２】
次に作用を説明する。
保温機能がオンしている間、保温制御部５１は、熱交換器１３内の湯を所定の保温温度範囲内に維持するように、バーナー１２の燃焼を制御する。ここでは、保温温度範囲の下限値よりも熱交換器１３内の湯温が低下したとき、バーナー１２を所定の最小燃焼量で２秒程燃焼させる。これにより、出湯用保温動作が稼働している間（保温機能がオンの間）は、２秒程度の短い燃焼が間欠的に行われることになる。また、保温温度範囲は、出湯の設定温度よりも、かなり高めの温度に設定されており、流量制御弁２３、２５によって給水の混合量を調整することで設定温度まで湯温を下げて出湯するようになっている。
【００３３】
給湯器１０は、リモコンユニット６０からの設定状態と、水位センサー３７、人感センサー７２、外気温センサー７３、光センサー７４など各種のセンサーの検知結果とが、予め定めた組み合わせになったとき、保温機能をオンにしたりオフするようになっている。なお、これとは別に、保温制御部５１は、前回の出湯が停止した後、５分間は、保温機能を自動的にオンにし、熱交換器１３内の湯を次回の出湯に備えて保温するようになっている。
【００３４】
図３は、リモコンユニット６０の操作に基づく設定状態と各種センサーの検知状態との組み合わせと、保温機能のオンオフ制御との対応関係の一例を示したものである。図３では横方向に操作による設定状態８０ａを、縦方向にセンサーの検知状態８０ｂをそれぞれ示してある。図中の○印は、保温機能をオフからオンにすることを、×印は、保温機能をオンからオフにすることをそれぞれ示している。
【００３５】
各設定状態８０ａは、リモコンユニット６０の有するそれぞれのスイッチがオンの場合とオフの場合とに分けてある。またセンサーの検知状態８０ｂは、浴槽４０への人の出入りと、浴室への人の出入りと、外気温などの環境状態に分けてある。
【００３６】
環境肯定状態８１は、外気温や明るさなどの環境が、保温機能のオンを肯定する状態、すなわち、外気温が一定温度以下である場合や、光センサー７４によって夜であることが検知されている状態である。環境否定状態８２は、外気温や明るさなどの環境が、保温機能のオンを否定する状態、すなわち、外気温が所定値よりも高い場合や光センサー７４によって夜でないことが検知されている状態である。
【００３７】
図３では、各スイッチによる設定状態がオンのとき、保温機能をオンにし、設定状態がオフのとき保温機能をオフにすることを基本としており、センサーの検知状態に応じてその例外を設定してある。たとえば、自動スイッチ６６によってふろの自動運転がオン状態８３のとき、基本的には、保温機能をオン（○印）にするが、浴室から人が居なくなった状態８４のときは、シャワー等の使用可能性がないと判断し、保温機能をオフにしている。運転スイッチ６５がオン状態８５のときやふろ側が優先スイッチ６４ａがオン状態８６にあるときも同様である。
【００３８】
ふろの自動運転がオフ状態８７の場合は、基本的には保温機能はオフにされる。しかしながら、浴槽４０内の湯温が一定以上ある場合には、ふろの自動運転がオフであっても入浴されることがある。そこで、ふろの自動運転がオフ状態８７であっても、水位センサー３７によって人が浴槽４０に入ったことを検知したとき（状態８８）は、その後、洗い場でシャワー等の使用の可能性があるので、保温機能をオンにしている。
【００３９】
また保温機能のオンオフ専用に設けた快適スイッチ６９がオン状態９１の場合には、使用者の意志を優先させるべく、各種のセンサーの検知状態にかかわらず、保温機能をオンにしている。
【００４０】
一方、外気温等の環境状態が保温機能のオンを肯定している環境肯定状態８１にあるときは、各種スイッチの操作に基づく設定状態の如何に係わらず、保温機能をオンにしている。たとえば、運転スイッチ６５や自動スイッチ６６がオフの状態であっても、外気温が低い場合には凍結等の可能性があるので、これを防止すべく保温機能をオンにしている。
【００４１】
また、操作による設定状態とセンサーの検知状態とが所定の組み合わせになったとき、すぐに保温機能をオンにするほか、所定の時間や所定の期間の経過後にオンにする場合もある。たとえば、ふろの自動運転がオフの状態８７であって、浴槽４０に人が入ったことに基づいて保温機能がオンになっている場合、この人が浴槽４０から出たときすぐに保温機能はオフにされず、浴槽４０から出た後、所定時間が経過してからオフにされる。これは、浴槽４０から出ても、その後しばらくの間は、洗い場でシャワー等の使用される可能があることに対応させたものである。
【００４２】
また、うめるスイッチ６８ｂがオンにされると、熱交換器１３内の給湯経路を通じて加熱していない給水を浴槽４０に注ぐので、当該動作が完了するまでの間は、バーナー１２を燃焼させることはできない。そこで、浴室内に人が居る等の状態下でうめるスイッチ６８ｂがオンにされたときは、うめるための動作が完了するまで待ってから、保温機能をオンにしている。
【００４３】
当該うめるための動作が完了した時点では、熱交換器１３の給湯経路側は低温の水で満たされた状態になっている。そこで、保温機能をオンにした当初は、バーナー１２を最小燃焼量よりも大きい所定の火力で燃焼させて保温温度範囲内に入るまで急速に湯温を上昇させた後、通常の保温動作（最小燃焼量による２秒間の燃焼を間欠的に繰り返すもの）に入るようになっている。
【００４４】
また図３に示したものは、保温機能をオフからオンに、またはオンからオフに変更する際の条件を示したものであって、当該状態が継続されている間、保温機能がオンまたはオフに維持されるものではない。保温機能は、図３に示したように操作による設定状態とセンサーの検知状態との組み合わせに応じてオフにされるほか、保温機能がオンになってから所定の時間が経過したときにオフにされる場合もある。
【００４５】
たとえば、あつめスイッチ６８ａが押下されたときは、浴室に人の居る可能性が高いが、あつめスイッチ６８ａを押下した人は、通常、その後、数十分のうちに浴室から出るものである。そこで、あつめスイッチ６８ａの押下に基づいて保温機能をオンにしたような場合には、その後、所定の時間が経過したときに、保温機能を停止している。
【００４６】
なお、上述の保温機能のオン・オフを定める各種の組み合わせは、その全てを有効にする必要はなく、保温機能のオンオフ制御に用いる組み合わせを適宜選択し得るようになっている。たとえば、操作による設定状態として、ふろ自動運転のみを、センサー状態として浴室への出入りのみを選択することができる。また、ふろ自動運転と、専用スイッチの操作など、２以上の設定状態やセンサー状態を有効にするような選択も可能になっている。
【００４７】
以上説明した実施の形態では、保温機能のオンオフ用に専用のスイッチを設けたが、アップスイッチ６３ａとダウンスイッチ６３ｂとを同時に押下するなど通常の操作と異なる特殊な操作を、保温機能をオンオフするための専用の操作として設定してもよい。また、特別な操作の１つとしてタイマー設定を設けてもよい。すなわち、タイマー設定の操作に基づき、設定された時刻の到来まで待つという準備動作を完了してから、保温機能をオンにするようにしてもよい。この場合には、タイムアップした際に、所定のセンサーの検知状態をサーチし、指定された組み合わせになっているとき、保温機能をオンにすることになる。
【００４８】
また実施の形態では、保温機能をオンオフするための各種の操作および各種のセンサーを設けて、それらの組み合わせの中から適宜のものを選択し有効にし得るようにしたが、上述した全ての操作やセンサーを備える必要はなく、１または２以上のいずれかの操作やセンサーのみを有するものであってもよい。また、図３に示した組み合わせは一例であり、これに限るものではない。
【００４９】
さらに、人感センサー７２、水位センサー３７、外気温センサー７３、光センサー７４等を保温機能をオンオフするためのセンサーとして用いたが、これ以外のセンサーを用いるものであってもよい。また実施の形態では、赤外線感知センサーを人感センサー７２として用いたが、これに限らず、たとえば、浴室のドアに設けたドアスイッチによって浴室への入退出を検知してもよい。また浴室の照明スイッチ等に連動するスイッチを人感センサー７２として用いてもよい。また実施の形態では、リモコンユニット６０から各種の操作を入力したが、リモコンユニット６０からの直接の操作に代えて、電話回線から遠隔操作するようにしてもよい。
【００５０】
なお、ふろ自動運転がオンになったような場合には、その後、浴槽４０への湯張りや追い焚きが行われるので、このような動作が完了し、浴槽４０内の湯を保温する状態に入ったときに、ふろ自動運転のオンと組み合わされているセンサーの状態をチェックするようにしてもよい。
【００５１】
このほか、実施の形態では、バーナー１２を最小燃焼量で２秒間燃焼させることを間欠的に行って熱交換器１３内の湯を保温するようにしたが、熱交換器１３内の湯を保温温度範囲に維持できれば、燃焼制御の形態はこれに限るものではない。また、出湯動作の停止後、保温機能を５分間、強制的にオンするようにしたが、その際のオン時間は５分に限るものではない。また所定の操作によって、出湯停止後、５分間の保温動作を有効とするか否かを選択できるようにしてもよいし、当該５分間の保温機能を必ずしも備える必要はない。
【００５２】
さらに、実施の形態では、熱交換器１３での保温温度を高めに設定し、バイパスミキシングによって設定温度まで湯温を下げて出湯するようにしたが、バイパスミキシング無し、あるいはミキシング比が固定のものであってもよい。ただし、これらの場合には、ミキシング量によって出湯温度を任意に調整できないので、設定温度に応じた的確な温度に熱交換器１３の湯を保温しなければならない。なお、給湯器は、実施の形態で示したような１缶２水路型のものに限るものではない。
【００５３】
【発明の効果】
本発明にかかる給湯器によれば、通水の無い状態でバーナーを燃焼させて熱交換器内の水を次回の出湯に備えて所定の保温温度範囲内に保温する保温機能を、操作受付部からの設定状態とセンサーの検知状態とが予め定めた組み合わせになったことを契機にシャワーの使用される時間帯を判定し、その判定結果に従ってオンオフするようにしたので、操作による設定状態とセンサー検知状態のうちいずれか一方のみに基づく場合に比べて、よりきめ細かく保温機能のオンオフを制御することができる。
【図面の簡単な説明】
【図１】本発明の一実施の形態に係る給湯器を示す説明図である。
【図２】本発明の一実施の形態に係る給湯器の有するリモコンユニットを示す正面図である。
【図３】操作に基づく設定状態と各種センサーの検知状態との組み合わせと、保温機能のオンオフ制御との対応関係の一例を示す説明図である。
【符号の説明】
１０…給湯器
１２…バーナー
１３…熱交換器
２１…給湯用パイプ
２７…入水サーミスタ
２８…出湯サーミスタ
２９…熱交サーミスタ
３１…追い焚き用循環パイプ
３７…水位センサー
４０…浴槽
５０…制御基盤
５１…保温制御部
５２…通常燃焼制御部
５３…通信部
６０…リモコンユニット
６１…操作部
６２…表示部
６３ａ…アップスイッチ
６３ｂ…ダウンスイッチ
６４ａ…優先スイッチ
６５…運転スイッチ
６６…自動スイッチ
６７…呼出スイッチ
６８…あつめスイッチ
６９…うめるスイッチ
７１…電話回線
７２…人感センサー
７３…外気温センサー
７４…光センサー
【図１】
0003834415.tif 000002
【図２】
0003834415.tif 000003
【図３】
0003834415.tif 000004